(57)【要約】　　　（修正有）【課題】視野を並行するボックスや特殊なメガネなくして立体的写真を得る。【解決手段】複眼レンズを有するカメラにおいて、被写体の画像をそれぞれのレンズより収光し、カメラ内のプリズムにより偏光し、それぞれの入射角に対応して、立体的に受像面を有するフィルムまたは電子式記録媒体で記録し、この記録媒体から立体構成写真版に転写してなる立体カメラと立体写真の構成。【選択図】図１
2004013149.tif 000002
【特許請求の範囲】
【請求項１】
双眼レンズを有するカメラにおいて被写光をプリズム等により一つのフィルムに双眼レンズ右側・左側それぞれの被写体光を偏光し光学的に凹凸状の一つのフィルムに転写するカメラの構造。
【請求項２】
上記カメラの２方向からの被写体光を同一画面内の凹凸状のフィルにそれぞれ右側レンズからと左側レンズからの被写光を凹凸状の入射角に対応して、フィルム上に像としてとらえるフィルム。
【請求項３】
請求項２でとらえたフィルム像を同様に写真面にも凹凸状に転写した。印画紙より得られる写真版の構造。
【請求項４】
請求項１のカメラを用いて、右眼レンズと左眼レンズからのそれぞれの画像をデジタル信号での記録媒体に記録し、再生するデジタルカメラ。
【請求項５】
請求項２・３の光学的凹凸式のフィルムに変えて、デジタル信号により、記録する記録媒体の構造。
【発明の詳細な説明】
【０００１】
【発明の属する技術分野】
本発明は立体写真とこれを実現する立体カメラに関するものである。
【０００２】
【従来の技術】
最も基本的には両眼よりの間隔でそれぞれ別々に写した写真を単眼づつ視野にボックスにて視覚する写真が古くから知られており、近時は３Ｄディスプレーとして、観客者に対してディスプレーを明るく光らせるバックライト、画像を表示する液晶パネルを配置し、これにイメージスプリッタと呼ばれる、フィルターが取り付けられている。これは光を遮る顔科で細かい縦縞を無数に配したものだ。液晶ディスプレーには、右目用画像と左目用画像が支互に並べて表示される。
手前の遮光膜は、ちょうど目隠しの役割を果たすので、開口部からしか画像が見えなくなる。こうして液晶パネルの手前に一種の格子を作ることで左目と右目に入る画像をここに分割して、立体視を可能にしている。
このような３Ｄディスプレーは高価格（原価３００万円）である。
【０００３】
【発明が解決しようとする課題】
上記の如く、電気的３Ｄディスプレーによる液晶方式では、価格的にも用途が限定される。
そこで、本発明はカメラと写真の分野で視野を並行するボックスや特殊なメガネなくして立体的写真を得る方式に関するものである。
カメラの構成においては両眼に相当する２つのレンズにより被写体を補足し、屈折レンズにより両方から像をフィルムに結ぶのであるが、このフィルムを後述する方法で立体構成とし、フィルムに対応した写真も同様立体変像写真焼付を行うものである。
【０００４】
【課題を解決するための手段】
手段は画像収集部からフィルムへの転写構成のカメラ。そのフィルムの基本構成と写真の基本構成に大別される。
画像を立体的に収集するための基本は両眼に相当する配置に構成する二郡の収光レンズである。基本構成による光の流れを第１図の基本方式にて説明する。
【０００５】
被写体１は、カメラ５の複眼レンズ２、２’により構成される。
これら入力光はプリズム（偏光板）３、３’により、フィルム４の記録媒体に同時に記録される。
【０００６】
この記録フィルム４の構成は第２図の如く、２方向からの入射角から光が投影されるので通常の平面フィルムでは画像が微少のヅレによりゆがみとして不鮮明な画像を結ぶことになる。
本発明ではこの部分を第３図の拡大図により説明すれば左側レンズ２よりの入射像は、受像面のフィルムが波状立体構成のため、入射角と対応してイ・ロ・ハと順次変化する。即ちイのＢ面入射角画像からロのＢ面入射画像は少なくなり、ハの入射角では画像はＡ面側には投射されない。
同様に反対側の右側レンズからの入射光はＡ面立体に画像は記録されるが、反対側のＢ面側には画像は投射角度に対応して入射画像は記録されない。
【０００７】
カメラ５に装着されたフィルム４に記録された画像は両眼位置で視認すればあたかも両眼で視認される如く、立体的画像として再現できるものである。
【０００８】
次にフィルムから写真への転写であるが、これまた現状の平面写真においては画像は不鮮明な画質となる。これは両眼からの受像した光に角度ズレがあるから当然である。
よって、写真の印刷紙６にもフィルム４と同様の立体波状構成とする。
これにより、両眼配置にあるカメラ・レンズで視認されたと同様の立体像を再現できるものである。
【０００９】
このフィルム及び写真の立体構成は記録媒体（フィルム４・写真６）へ転写することによって達成できる。この波状構成の大きさは目的とする記録媒体によりミリメートルからマイクロメートルまた最近の技術応用によりナノ（１０億の１）単位の微少構成により解像度は高まる。
【００１０】
記録媒体の構成も単純な波形の平面構成から第７図の如く、多角体の画像記録媒体により更に画質の立体感は自然なものとなる。
【００１１】
上記説明は視眼レンズ２，２’によるカメラ５とフィルム４及び、写真６によって基本構成を説明したが近時需要拡大のデジタルカメラにおいても光をフィルムに記録媒体から光を電気信号によるデジタル化して記録媒体に立体的に記録することは可能である。
【００１２】
この基本技術（複眼レンズ２，２’からの画像収集と入射角に対応した立体画像の記録）によれば、カメラ・写真と共に内視鏡・顕微鏡としての立体化に応用は容易であり、その記録として従来の写真のみならず右眼レンズからの映像と左側レンズからの映像をデジタル信号で区分表示すればデジタル信号の変換しての立体変換方式によれば広範な画像再生の立体化に利用できる。基本的立体再現といえる。
【００１３】
【発明の効果】
写真・映像の立体的視認は極めて古くからの願望としてあり、眼鏡等用いて立体像を得る方法は最も知られる所である。
本発明はこのようなわずらわしい作業を行うことなく、いつでも立体写真を見ることができ、構成カメラ及びフィルムも充分市場として受け入れられる価格での実用性を備えている。
平面写真の普及は極めて大きく、立体視写真が容易に実現されるならば、その普及効果ははかり知れない大きな市場を構成するものである。
【図面の簡単な説明】
【第１図】双眼立体カメラの基本構成の平断面図
【第２図】従来タイプのフィルム　側断面図
【第３図】受像フィルム面の左レンズ・右レンズからの画像光受像の基本光線断面図
【第４図】凹凸フィルムの１例として凹型に形式した断面図
【第５図】本発明フィルム側断面図
【第６図】本発明写真の側断面図
【第７図】本発明フィルムの直線式立体の平面図
【第８図】本発明フィルム円周形立体の平面図
【符号と説明】
（１）　　被写体
（２）（２’）カメラのレンズ　左側及び右側
（３）（３’）偏光プリズム
（４）　　立体フィルム
Ｂ．Ｂ面は左側レンズ主体の受光面
Ａ．Ａ面は右側レンズ主体の受光面
イ．ロ．ハ．は左側レンズ側からの受光角度差を示す。
（５）　　立体双眼カメラ
（６）　　立体写真
（７）　　凹刑形式フィルム（写真も同じ）形状例
（８）　　被写体受光面の立体構成の１例
（９）　　立体受光面の構成を直線配置の例
（１０）　立体受光面の構成を円周形配置の例
【図１】
2004013149.tif 000003
【図２】
2004013149.tif 000004
【図３】
2004013149.tif 000005
【図４】
2004013149.tif 000006
【図５】
2004013149.tif 000007
【図６】
2004013149.tif 000008
【図７】
2004013149.tif 000009
【図８】
2004013149.tif 000010